(57)【要約】【課題】携帯性の悪化を抑制しつつ、正しい使用態様により膣内の適切な位置に吸収体を容易に配置できるタンポン用アプリケータを提供する。【解決手段】  タンポン用アプリケータ１は、把持筒部７を有する外筒２０と、内筒３０と、把持筒部の外周面上に配置される鍔部１０を備える。内筒は、第１内筒３１と、第２内筒３２と、を有する。鍔部は、把持筒部の外周面から径方向外側に向けて突出する、第１突起部１１、第２突起部１２及び第３突起部１３を備える。鍔部の穴部の中心と各突起部の径方向外側端部までの距離は、それぞれ異なる。【選択図】図３
2014069001.tif 000002
【特許請求の範囲】
【請求項１】
吸収体が内部に収容され、かつ一側に該吸収体が押し出される開口が設けられ他側に把持筒部が設けられた外筒と、該把持筒部内に挿入され該外筒内への移動により該吸収体を該開口から外方へ押し出すことが可能な内筒と、前記外筒の前記把持筒部が挿入される穴部を有し、かつ前記把持筒部の外周面上に配置される鍔部と、を備えるタンポン用アプリケータであって、
前記鍔部は、前記把持筒部の外周面から径方向外側に向けて突出する複数の突起部を備えており、
前記複数の突起部は、第１突起部、第２突起部及び第３突起部を少なくとも備え、前記外筒の周方向において間隔を空けて配置されており、
前記鍔部の前記穴部の中心と前記第１突起部の径方向外側端部との距離、前記鍔部の前記穴部の中心と前記第２突起部の径方向外側端部との距離、及び前記鍔部の前記穴部の中心と前記第３突起部の径方向外側端部との距離は、異なることを特徴とする、タンポン用アプリケータ。
【請求項２】
前記複数の突起部のうち、隣接する２つの突起部の径方向外側端部は、前記周方向において９０度以上離間している、請求項１に記載のタンポン用アプリケータ。
【請求項３】
前記複数の突起部の径方向外側端部は、曲線形状である、請求項１又は請求項２に記載のタンポン用アプリケータ。
【請求項４】
前記外筒の把持筒部の外周面に対する前記各突起部の径方向外側に向かって延出する延出面積は、それぞれ異なる、請求項１から請求項３のいずれかに記載のタンポン用アプリケータ。
【発明の詳細な説明】
【技術分野】
【０００１】
本発明は、タンポン用アプリケータに関する。
【背景技術】
【０００２】
従来、タンポン用アプリケータが提供されている。タンポン用アプリケータは、外筒と内筒とを備えている。外筒の内部には、引き出し紐を有する吸収体が収納されている。使用者が生理用タンポンを使用する際は、外筒を把持して膣内に外筒を挿入し、外筒を把持した状態で内筒を外筒に向けて押圧する。内筒を外筒に向けて押圧すると、吸収体が外筒から押し出されて、膣内に吸収体が配置される。しかし、生理用タンポンを使用する際に、適切な深さまで外筒を挿入せずに吸収体を押し出すと、膣内の適切な位置に吸収体を配置できないことがあった。
【０００３】
特許文献１には、このような問題に鑑みてなされたタンポン用アプリケータが記載されている。タンポン用アプリケータは、外筒の周囲に延出した突起部を備えている。使用者が生理用タンポンを使用する際は、外筒を押圧して、膣内に外筒を挿入する。そして、適切な深さまで外筒を挿入すると、突起部が膣口に当接するように構成されている。したがって、使用者は、適切な深さまで外筒を挿入して、膣内の適切な位置に吸収体を配置することができる。
【先行技術文献】
【特許文献】
【０００４】
【特許文献１】実公昭６３−４８２６１号公報
【発明の概要】
【発明が解決しようとする課題】
【０００５】
しかしながら、出願人は、上述のタンポン用アプリケータについて、以下のような問題点を発見した。
【０００６】
特許文献１のタンポン用アプリケータの突起部は、外筒の外周面よりも外筒の径方向外側に突出している。この外筒の外周面よりも径方向外側に突出する突起部の長さが長すぎると、タンポン用アプリケータの全体が大きくなってしまい、携帯性が悪化する。一方、外筒の外周面よりも径方向外側に突出する突起部の長さが短すぎると、使用時に意図せずに突起部が膣内に挿入されてしまうおそれがある。よって、正しく使用できず、結果として体内の適切な位置に吸収体を配置できないことがある。
【０００７】
そこで、本発明は、上述の課題に鑑みてなされたものであり、携帯性の悪化を抑制しつつ、正しい使用態様により膣内の適切な位置に吸収体を容易に配置できるタンポン用アプリケータを提供することを目的とする。
【課題を解決するための手段】
【０００８】
上述した課題を解決するため、本発明に係るタンポン用アプリケータ（タンポン用アプリケータ１）は、吸収体（吸収体４）が内部に収容され、かつ一側に該吸収体が押し出される開口（開口８）が設けられ他側に把持筒部（把持筒部７）が設けられた外筒（外筒２）と、該把持筒部内に挿入され該外筒内への移動により該吸収体を該開口から外方へ押し出すことが可能な内筒（内筒３）と、前記外筒の前記把持筒部が挿入される穴部（穴部１４）を有し、前記把持筒部の外周面上に配置される鍔部（鍔部１０）と、を備えるタンポン用アプリケータであって、前記鍔部は、前記把持筒部の外周面から径方向外側に向けて突出する複数の突起部を備えており、前記複数の突起部は、第１突起部（第１突起部１１）、第２突起部（第２突起部１２）及び第３突起部（第３突起部１３）を少なくとも備え、前記外筒の周方向において間隔を空けて配置されており、前記鍔部の前記穴部の中心と前記第１突起部の径方向外側端部との距離、前記鍔部の前記穴部の中心と前記第２突起部の径方向外側端部との距離、及び前記鍔部の前記穴部の中心と前記第３突起部の径方向外側端部との距離は、異なることを要旨とする。
【発明の効果】
【０００９】
本発明によれば、携帯性の悪化を抑制しつつ、正しい使用態様により膣内の適切な位置に吸収体を容易に配置できるタンポン用アプリケータを提供することができる。
【図面の簡単な説明】
【００１０】
【図１】本発明の第１の実施形態に係るタンポン用アプリケータの斜視図である。
【図２】図１に示すタンポン用アプリケータの平面図である。
【図３】図１に示す鍔部の平面図である。
【図４】図１に示すタンポン用アプリケータの使用態様を示す模式正面図である。
【図５】変形例に係る鍔部の平面図である。
【発明を実施するための形態】
【００１１】
図面を参照して、本発明の第１の実施形態に係るタンポン用アプリケータについて説明する。図１は、第１の実施形態に係るタンポン用アプリケータの全体を示す斜視図、図２は、図１に示すタンポン用アプリケータの平面図である。なお、図１及び図２において、説明の便宜上、鍔部にハッチングを付して示す。
【００１２】
タンポン用アプリケータ１は、外筒２と内筒３とを有している。外筒２及び内筒３は、内部に中空部を有する筒形状である。外筒２と内筒３の断面形状は、正円形である。外筒２及び内筒３は、ポリエチレン、ポリプロピレン等のポリオレフィン系樹脂、または表面をポリオレフィンフィルムでラミネートした厚紙によって全体が形成されている。
【００１３】
なお、本実施の形態に係る外筒２及び内筒３の断面形状は、正円形であるが、本発明に係る外筒２及び内筒３の断面形状は、膣内に挿入し易い形状であればよく、例えば、楕円形であってもよい。外筒２の体内への挿入方向は、筒状の外筒の軸方向に沿っており、図１及び図２においてＹ方向として図示する。
【００１４】
外筒２の内部には、生理用タンポンとしての吸収体４が収容されている。吸収体４には、取り出し紐４ａが連結されている。取り出し紐４ａは、吸収体４の端部から内筒３の内部を挿通し、その挿通端部が内筒３から抜き出されている。使用中に取り出し紐４ａを引くことにより、吸収体４を体内から引き出すことができる。
【００１５】
外筒２の一端には、吸収体４が押し出される開口８が設けられている。開口８には、吸収体４が押し出される際に径方向外側に向けて変形する花弁体８ａが形成されている。花弁体８ａは、常時、開口８の縁部で閉となっているが、内筒３によって吸収体４が押し出されるときに吸収体４によって押し広げられて開口する。これにより、吸収体４が外筒２から押し出され、吸収体４を体内に挿入することができる。
【００１６】
外筒２の他端には、鍔部１０が装着されていない状態において、外筒２及び内筒３の移動操作の際に指によって把持可能な把持筒部７が設けられている。なお、使用者は、鍔部１０が装着された状態においては、鍔部１０を把持してタンポン用アプリケータを使用することができる。
【００１７】
把持筒部７は、開口８と把持筒部７との間における外筒本体９の径よりも小径である。把持筒部７には内筒３の先端部分が挿入されており、挿入された内筒３の先端面は吸収体４に臨んでいる。外筒本体９の把持筒部７側の端部は、把持筒部７と略等しい径に絞られており、その外端には、凸部５が形成されている。凸部５は、後述する鍔部１０と当接し、鍔部１０を外筒本体９側に移動させないように鍔部１０の移動を規制する。
【００１８】
把持筒部７の外周面には、把持筒部７よりも径方向外側に向かって延出した鍔部１０が装着されている。鍔部１０の挿入方向の先端部は、凸部５に当接している。鍔部１０には、把持筒部７が挿入される穴部１４が形成されている。穴部１４の径は、把持筒部７の外周の径よりも大径又は把持筒部７の外周の径と同じ径であればよい。また、鍔部１０の穴部１４の内径は、凸部５の外径よりも小径である。したがって、鍔部１０は、把持筒部７の周方向及び軸方向に対して移動可能である。また、鍔部１０は、凸部５によって、凸部５よりも外筒本体側への移動が規制される。
【００１９】
なお、他のタンポン用アプリケータとして、外筒本体９の把持筒部７側の端部に凸部５が形成されず、外筒本体９の把持筒部７側の端部の径が把持筒部側に向かって小さく括れているものがある。当該タンポン用アプリケータにおいては、鍔部１０の先端側の表面は、外筒の括れ部に当接していてもよい。鍔部が括れ部に当接した状態においても、鍔部１０は、括れ部によって外筒本体側への移動が規制される。
【００２０】
本実施形態のタンポン用アプリケータ１は、鍔部１０の内径が９．９ｍｍであり、外筒本体９の外径が１３．７ｍｍであり、把持筒部７の外径が９．４ｍｍであり、凸部５の外径が１０．４ｍｍである。また、開口８側の外筒２の端部から鍔部までの長さＬ１（図２参照）は５０ｍｍであり、鍔部１０の先端側の面から把持筒部７側の外筒２の端部までの長さＬ２（図２参照）は１０ｍｍである。なお、鍔部１０の先端側の面から把持筒部７側の外筒２の端部までの長さＬ２は、使用時に使用者が指で把持する部分の長さであるため、使用者の持ち易さを考慮して、１０ｍｍ以上であることが望ましい。また、鍔部１０の厚みは、１．５ｍｍである。
【００２１】
把持筒部７には、把持筒部７の外周面に沿い、この外周面を覆う鍔部１０が装着されている。図３は、鍔部の平面図である。鍔部１０は、把持筒部７の外周面を覆うカバー部１５と、把持筒部７の外周面から外筒２の径方向（図１に示すＸ方向及びＺ方向）外側に向けて延出するプレート部１６、とが一体化されている。プレート部１６は、Ｙ方向における厚みは、カバー部のＹ方向における長さよりも短い。
【００２２】
鍔部１０は、ポリオレフィン系樹脂、エラストマー、紙、その他の材料に構成される。本実施の形態に係る鍔部１０は、ポリエチレンやポリプロピレン樹脂によって形成されている。
【００２３】
鍔部１０には、把持筒部７が挿入される穴部１４が形成されている。プレート部１６は、把持筒部７の外周面から径方向外側に向けて突出する複数の突起部を有する。突起部は、第１突起部１１、第２突起部１２、及び第３突起部１３を有する。第１突起部１１、第２突起部１２及び第３突起部１３は、外筒２の周方向Ｃにおいて隣接している。
【００２４】
第１突起部１１と第２突起部１２の間、第２突起部１２と第３突起部１３との間、及び第３突起部１３と第１突起部１１との間には、隣接する領域よりも径方向内側に凹んだ括れ領域が形成されている。第１突起部１１と第２突起部１２の間の第１括れ領域２１、第２突起部と第３突起部との間の第２括れ領域２２、及び第３突起部１３と第１突起部１１との第３括れ領域２３の穴部の中心との距離は、それぞれ異なっている。
【００２５】
鍔部の穴部の中心１４ａと第１突起部の径方向外側端部１１ｅとの距離Ｌ１１、鍔部の穴部の中心と第２突起部の径方向外側端部１２ｅとの距離Ｌ１２、及び鍔部の穴部の中心と第３突起部の径方向外側端部１３ｅとの距離Ｌ１３は、異なる。なお、各突起部の径方向外側端部は、各突起部において最も径方向外側に位置する部分である。距離Ｌ１１、Ｌ１２及びＬ１３は、特に制限されないが、携帯性の悪化を抑制しつつ、正しい使用態様を実現する観点から、１０ｍｍ〜６０ｍｍを例示でき、より好適には、１６ｍｍ〜３２ｍｍとすることができる。
【００２６】
具体的には、鍔部の穴部の中心１４ａと第１突起部の径方向外側端部１１ｅとの距離Ｌ１１は、３０．９８ｍｍ、鍔部の穴部の中心と第２突起部の径方向外側端部１２ｅとの距離Ｌ１２は、３０．４５、鍔部の穴部の中心と第３突起部の径方向外側端部１３ｅとの距離Ｌ１３は、２３．５２である。
【００２７】
また、鍔部の穴部の外周面と第１突起部の径方向外側端部１１ｅとの距離は、１９．３８であり、鍔部の穴部の外周面と第２突起部の径方向外側端部１２ｅとの距離は、１８．８５であり、鍔部の穴部の外周面と第３突起部の径方向外側端部１３ｅとの距離は、１２．９２である。
【００２８】
突起部毎に、突起部の径方向外側端部の位置が異なる。よって、鍔部が体内に間違って入ることを抑制するように、最も突出した突起部を設計することにより、使用時に意図せずに体内に鍔部が挿入されることを抑制できる。また、すべての突起部の突出長さ（外筒の外周面に対して延出する長さ）が同じ長さの場合には、鍔部が体内に間違って入ることを抑制するように突出長さを定めると、タンポン用アプリケータ全体が大きくなり、携帯性が悪化することがある。しかし、少なくとも３つの突起部の突出長さを異ならせることにより、携帯性の悪化を抑制することが可能となる。
【００２９】
図４は、タンポン用アプリケータの使用態様を示す模式正面図である。図４は、タンポン用アプリケータ１を使用者が把持した状態を、外筒２の先端（開口８）側から視認した状態を模式的に示している。使用者は、指を鍔部に引っかけてタンポンアプリケータを操作する。
【００３０】
第１突起部と第２突起部の間の第１括れ領域、第２突起部と第３突起部との間の第２括れ領域、及び第３突起部と第１突起部との第３括れ領域の径方向の位置は、それぞれ異なっているため、使用者は、自らが把持しやすい態様で括れ領域よりも径方向内側に指を沿わせることができる。例えば、第１突起部と第２突起部の間の第１括れ領域、第２突起部と第３突起部との間の第２括れ領域、及び第３突起部と第１突起部との第３括れ領域の径方向の位置が同じ位置であると、親指と人差し指と中指を同じ径方向の位置まで曲げて配置する必要があり、把持しにくいことがある。しかし、括れ領域の位置がそれぞれ異なるため、各括れ領域と指とを使用者が組み合わせて使用することができ、操作性が向上する。突起部の突出する長さが突起部毎に異なるため、各突起部を介してタンポン用アプリケータを膣内に押圧する際に力が分散し、力が偏ることによるぐらつきを抑制し、安定して操作することができる。
【００３１】
また、鍔部が３以上の突起部を備えているため、外筒を適切な位置まで挿入した状態で少なくとも３点が膣口にあたる。よって、使用者は、適切な位置まで外筒を挿入できたことを把握できる。
【００３２】
３以上の突起部が周方向に間隔を空けて配置されているため、指等によって鍔部を介して押圧する際に、鍔部に係る力を分散することができる。複数の突起部のうち、隣接する２つの突起部の径方向外側端部は、周方向において９０度以上離間している。更に、隣接する突起部が９０度以上離間しているため、突起部が分散して配置され、鍔部全体の面積を広くすることができる。よって、鍔部が着用者の身体に当接する面積が増え、意図せずに鍔部が膣内に挿入されることを防止できる。
【００３３】
複数の突起部の径方向外側端部は、曲線形状である。突起部の径方向外側端部が曲線形状であるため、鍔部が誤って膣内に挿入された場合であっても、刺激を抑制することができる。なお、曲線形状とは、尖った角部を有しない構成であればよく、直線形状を一部に含んでいてもよい。
【００３４】
外筒の把持筒部の外周面に対する各突起部の径方向外側に向かって延出する延出面積は、それぞれ異なる。外筒の把持筒部の外周面に対する各突起部の径方向外側に向かう延出面積は、図３に示す平面の第１突起部の面積、第２突起部の面積及び第３突起部の面積である。本実施の形態では、第１突起部の面積が２７２ｍｍ２であり、第２突起部の面積が152mm2であり、第３突起部の面積が55mm2である。例えば、第１突起部の面積：第２突起部の面積：第３突起部の面積の比は、5：3：1の比率とすることができる。
【００３５】
３つの突起部のうち、少なくとも１つ以上の突起部の面積が、他の突起部の面積と異なることにより、鍔部が膣内に誤って挿入された場合に、使用者は膣内に異なる違和感が生じるため、使用者は誤挿入を認識し易くなる。
【００３６】
更に、各突起部の面積が異なるため、鍔部全体の中心が、鍔部の穴部の中心とずれ易くなる。鍔部全体の中心が、鍔部の穴部の中心とずれることにより、製品搬送時における転がりが低減される。
【００３７】
また、一般的にアプリケータを把持する際は、親指と、中指と、人差し指の３本の指を使用する。各指の太さが異なるため、突起部の面積が同じであると、ある指に対しては適切な面積であっても、その他の指に対しては、面積が小さすぎたり、大きすぎたりして、安定して把持できないことがある。
【００３８】
しかし、各突起部の延出面積が異なるため、最も面積が大きい突起部に親指を当接させ、当該突起部よりも比較的面積が小さい突起部に中指や人差し指を当てることができる。指と鍔部の突起部とを適切にあてることができ、安定して鍔部を把持することができる。
【００３９】
また、図３に示す平面視において、各突起部は、鍔部の穴部の中心を通り、かつ径方向に延びる仮想線（例えば、ＥＬ１、ＥＬ２）を軸として、非対称に配置されている。３つの突起部が仮想線を軸とした非対称であるため、使用者が把持する際の指の位置を視覚的に認識することができる。また、線対称に突起部が形成された構成と比較して、径方向外側に延出する長さを部分的に短く形成でき、タンポン用アプリケータの全体が大きくなることを抑制し、携帯性を向上させることができる。なお、鍔部の外形状は、鍔部の穴部の中心を通り、かつ径方向に延びる仮想線（例えば、ＥＬ１、ＥＬ２）を基準に割型金型が２つに分割されて射出成形できる形状が望ましい。
【００４０】
このように構成された鍔部１０を外筒２の把持筒部７に装着することにより、外筒２と別体で構成された鍔部１０を、適宜外筒２に装着することができる。また、鍔部１０は、凸部５によって挿入方向の移動が規制される。よって、鍔部１０を介して外筒２を体内に押圧した場合であっても、鍔部１０の位置ずれを防止でき、吸収体を適切な位置に配置することができる。
【００４１】
次いで、このように構成されたタンポン用アプリケータを有する生理用タンポンの使用態様について説明する。使用者は、外筒２の先端を膣口に当接させた状態で、外筒を膣内に挿入する方向に鍔部１０を押圧する。鍔部１０の第１嵌合部が外筒の凸部に当接しているため、鍔部１０は、外筒２に対する開口側への移動が規制される。よって、使用者が鍔部１０を膣内に向けて押すことにより、外筒２が膣内に挿入される。
【００４２】
鍔部１０は、生理用タンポンの膣内への挿入方向における鍔部１０の先端側に配置されているため、外筒２を適切な位置まで挿入した状態で、鍔部１０の表面１２ａは、膣口近傍に配置される。この状態で更に外筒２を挿入しようとしても、使用者の身体に鍔部１０が当接する。すなわち、鍔部１０は、ストッパーとしての機能を発揮し、使用者は、適切な位置まで外筒２を挿入できたことを把握することができる。
【００４３】
また、外筒２を適切な位置まで挿入した状態において、膣口と指との間には、鍔部１０のプレート部１６が配置される。タンポン用アプリケータを持つ指と膣口との間に鍔部１０が配置され、経血等の体液によって使用者の指が汚れることを防ぐことができる。
【００４４】
次いで、使用者は、膣内の所定の位置まで外筒２を挿入した後、内筒３を外筒２の開口８側に向けて押圧することにより、外筒２の開口８から吸収体４が押し出され、吸収体４が膣内の適切な位置に配置される。このように、鍔部１０を備えることにより、使用者の指が膣口付近に触れることなく、適切な位置に容易に吸収体４を配置することができる。吸収体４を適切な位置に配置することにより、使用者は、使用時の違和感が少なくなり、タンポンの使用を快適に感じることができる。
【００４５】
次いで、このように構成された生理用タンポンの製造方法について説明する。ステップ１０１として、生理用タンポンを構成する構成部品を成型する。具体的には、外筒２、内筒３、吸収体４、及び鍔部１０を製造する。このステップ１０１の状態において、外筒の先端は、花弁体８ａが形成されているが、複数の花弁体８ａの各々が開いた状態（換言すると、開口８が開いた状態）にある。
【００４６】
ステップ１０２において、外筒２及び内筒３を組み立てる。外筒２の先端側から内筒３を挿入する。この状態において、内筒３の先端部が外筒２の括れ領域の内周面に係止する。内筒３は、外筒２の挿入部６よりも後方への移動が規制される。
【００４７】
ステップ１０３において、吸収体４を外筒内に配置する。具体的には、外筒の先端側から吸収体を挿入する。このとき、吸収体４は、取り出し紐４aが形成されている側から挿入する。そして、吸収体４の取り出し紐４ａをタンポン用アプリケータ１の後端（具体的には、内筒３の後端側の開口）から引き出す。
【００４８】
ステップ１０４において、複数の花弁体８ａを湾曲加工する。具体的には、花弁体８ａの各々を外筒２の径方向内側に倒れるように湾曲させて、外筒２の先端部を略半球状に加熱成形する処理（以下、先端加工処理とも言う）を行う。先端加工処理が終了した時点で、生理用タンポンが完成する。
【００４９】
なお、鍔部１０は、上述の製造工程のいずれかの工程において外筒に装着するように構成してもよいし、生理用タンポンを使用者に提供する際には生理用タンポンと別体であって、使用する際に使用者が外筒２に装着するように構成してもよい。
【００５０】
上述の製造工程において鍔部を装着するタイミングとしては、例えば、ステップ１０１とステップ１０２との間である外筒２を形成した後であってもよいし、ステップ１０２とステップ１０３の間である内筒と外筒とを組み立てた後であってもよいし、ステップ１０３とステップ１０４との間である吸収体を配置した後であってもよいし、ステップ１０４後である花弁体を加工した後であってもよい。
【００５１】
次いで、変形例に係る鍔部１０Ａについて、図５に基づいて詳細に説明する。なお、以下の実施形態の説明において、実施形態と同様の構成については、同符号を用いて説明を省略する。図５は、変形例に係る鍔部１０Ａの平面図である。
【００５２】
変形例に係る鍔部１０Ａは、カバー部を備えず、プレート部のみによって構成されている。なお、実施形態に係る鍔部がプレート部のみによって構成されていてもよいし、変形例に係る鍔部１０Ａがカバー部を備えていてもよい。
【００５３】
変形例に係る鍔部は、第１突起部、第２突起部、及び第３突起部を備えており、各突起部の径方向外側端部は、円弧形状である。各円弧の半径Ｒは、２ｍｍ〜２４ｍｍであることが望ましい。このような円弧の半径とすることにより、指で把持した際や誤って膣内に挿入された際の違和感や痛みを抑制できる。
【００５４】
また、各突起部の径方向外側端部が円弧等の曲線形状であることにより、視覚的に柔らかいイメージを使用者に付与できる。よって、使用者の使用時の不安感（例えば、膣内に鍔部が当たることによる刺激等）を軽減させることができる。このように、鍔部の平面視の形状が流線型であることにより、タンポンに慣れてない初心者の心理的負担を軽減できる。例えば、各突起部の径方向外側端部が角張っていると、誤って膣内に挿入した際に怪我や痛みを伴う等の不安を感じることがある。しかし、初心者の心理不安を軽減でき、初心者であっても安心してタンポンを使用することができる。
【００５５】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【００５６】
例えば、鍔部の外形をハート形や動物の頭の形状等にすることにより、医療用具的なタンポンを鍔部によって可愛らしく装飾することができる。よって、使用者の生理の憂鬱な気分を和らげることができ、次回の使用意欲を向上させることができる。
【００５７】
また、鍔部に色を付すことにより、装飾効果を更に高めることができる。鍔部に付す色は、特に限定されないが、例えば、ハート形の鍔部には赤やピンク色、熊の頭の形状の鍔部には茶色を付すことができる。更に、鍔部を着色することにより、鍔部を目立たせることができ、特にトイレ等の薄暗い場所での取り扱いが容易になる。
【００５８】
また、鍔部の突起部は、少なくとも３以上設けられていればよく、４以上設けられていてもよい。
【符号の説明】
【００５９】
１…タンポン用アプリケータ
２…外筒
３…内筒
４…吸収体
４ａ…取り出し紐
５…突起部
７…把持筒部
８…開口
８ａ…花弁体
９…外筒本体
１０…鍔部
１１…第１突出部
１２…第２突出部
１３…第３突出部
１４…穴部
１５…カバー部
１６…プレート部
２１…第１突起部
２２…第２突起部
２３…第３突起部
【図１】
2014069001.tif 000003
【図２】
2014069001.tif 000004
【図３】
2014069001.tif 000005
【図４】
2014069001.tif 000006
【図５】
2014069001.tif 000007